(57)【特許請求の範囲】
【請求項１】
角形錠箱の内部に互いに噛合する２枚のギヤプレートを上下対称位置に設けて回転自在に支持し、各ギヤプレートに、引戸に取付けられるシリンダ錠の２本の取付脚が挿入可能な２つの弧状長孔を１８０°の間隔をおいて設け、一方のギヤプレートの中心部に直径方向に細長く延びる角形のスピンドル挿入孔を形成し、他方のギヤプレートにおける中心部に円形のスピンドル挿入孔を設け、そのスピンドル挿入孔の内周対向位置に一対の突出部を形成し、前記錠箱の前側部に設けられた摺動体を上下方向に移動自在に支持し、その摺動体の上下端部にロッド連結孔を設け、前記他方のギヤプレートにおいて外周にレバーを突設し、そのレバーを上記摺動体に形成された上下方向に長い長孔に挿入した引戸錠。
【発明の詳細な説明】
【０００１】
【発明の属する技術分野】
この発明は、引戸の戸当り面に取付けられる引戸錠に関するものである。
【０００２】
【従来の技術】
引戸の施錠装置として、図５（Ｉ）、（II）に示したものが従来から知られている。この施錠装置は、引戸３０の戸当り面に形成された収納凹部３１に引戸錠３２を取付け、引戸３０の屋外面にはシリンダ錠３３を、屋内面にはサムターン３４をそれぞれ取付けている。
【０００３】
そして、シリンダ錠３３のキー孔に挿入されるキーの操作によりシリンダ錠３３の内筒３５を回転し、その内筒３５と共に回転するスピンドル３６の回転運動、あるいはサムターン３４の回転運動を引戸錠３２内に設けられた運動変換機構を介して引戸錠３２の前側部に設けられた摺動体３７の上下運動に変換し、上記摺動体３７の上方向への移動時に、摺動体３７に連結されたロッド３８の上端部を引戸枠３９の上枠４０に形成されたロッド孔４１に係合させるようにしている。
【０００４】
上記引戸の施錠装置に用いられるシリンダ錠３３の形式はメーカーによって異なり、図６（Ｉ）、（II）に示すように、２種類に大別される。図６（Ｉ）に示すシリンダ錠３３ａにおいては、正面に刻印されたメーカー名を正視する状態で２本の取付脚４２が上下に配置されており、内筒３５の回転角は１８０°程度とされている。一方、図６（II）に示すシリンダ錠３３ｂにおいては、２本の取付脚４３が左右に配置され、内筒３５の回転角は９０°程度とされている。
【０００５】
一般に、シリンダ錠３３は内筒３５と共に回転する平板状のスピンドル３６を有し、そのスピンドル３６の厚みや幅寸法は等しいが、シリンダ錠３３と対をなすサムターン３４との関係において長さが相違する。
【０００６】
すなわち、スピンドル３６にサムターン３４を連結するタイプのものは、スピンドル長さが長く、サムターン３４に回転軸を設けた分割タイプのものにおいては、スピンドル長さが短い。
【０００７】
【発明が解決しようとする課題】
従来の引戸の施錠装置においては、シリンダ錠３３ａ、３３ｂの大きさや取付脚４２、４３の間隔について規格化されて互換性を有するもの、対をなすサムターン３４との関係においてスピンドル３６の長さが相違すると共に、内筒３５の回転角も相違するため、引戸３０に取付けられる引戸錠３２はシリンダ錠３３ａ、３３ｂに応じて製作する必要が生じ、コスト的にきわめて不利であった。
【０００８】
なお、アダプタの取付けによって他のメーカのシリンダ錠を使用できるようにした施錠装置が存在するが、他のメーカのシリンダ錠の使用時、そのシリンダ錠に刻印されたメーカ名が正常な向きとならず、体裁上問題があった。
【０００９】
この発明の課題は、２種類のシリンダ錠のいずれも正常な向きに取付けて使用することができる引戸錠を提供することである。
【００１０】
【課題を解決するための手段】
上記の課題を解決するために、この発明においては、角形錠箱の内部に互いに噛合する２枚のギヤプレートを上下対称位置に設けて回転自在に支持し、各ギヤプレートに、引戸に取付けられるシリンダ錠の２本の取付脚が挿入可能な２つの弧状長孔を１８０°の間隔をおいて設け、一方のギヤプレートの中心部に直径方向に細長く延びる角形のスピンドル挿入孔を形成し、他方のギヤプレートにおける中心部に円形のスピンドル挿入孔を設け、そのスピンドル挿入孔の内周対向位置に一対の突出部を形成し、前記錠箱の前側部に設けられた摺動体を上下方向に移動自在に支持し、その摺動体の上下端部にロッド連結孔を設け、前記他方のギヤプレートにおいて外周にレバーを突設し、そのレバーを上記摺動体に形成された上下方向に長い長孔に挿入した構成を採用したのである。
【００１１】
【発明の実施の形態】
以下、この発明の実施の形態を図１乃至図４に基づいて説明する。
【００１２】
図１及び図２に示すように、角形の錠箱１は引戸３０の戸当り面で開口する収納凹部３１に対して挿入可能な大きさとされ、その挿入方向の後行側における上下部に一対の取付片２が形成されている。
【００１３】
取付片２は引戸３０の戸当り面に当接され、その戸当り面にねじ込むねじの締付けによって固定される。
【００１４】
錠箱１の内側には、第１ギヤプレート３および第２ギヤプレート４が上下対称位置に設けられている。ギヤプレート３、４のそれぞれは中心部に円形ボス部５、６が設けられ、そのボス部５、６が錠箱１の両側板１ａに形成された孔７に挿入されて回転自在に支持されている。
【００１５】
また、ギヤプレート３、４の外周には互いに噛合する歯８、９が形成され、一方のギヤプレートの回転が他方のギヤプレートに伝達されるようになっている。
【００１６】
図１において、上側に配置された第１ギヤプレート３には、図６（II）に示すシリンダ錠３３ｂの取付脚４３が挿入される２つの弧状長孔１０が１８０°の間隔をおいて形成されている。また、第１ギヤプレート３のボス部５における中心部には直径方向に細長く延びる角形のスピンドル挿入孔１１が設けられている。
【００１７】
第１ギヤプレート３の外周部にはロッド１２が連結され、そのロッド１２の先端部は錠箱１の頂壁に形成された透孔１３にスライド自在に挿入されている。ロッド１２にはスプリング１４が支持されている。スプリング１４は第１ギヤプレート３を押圧し、その押圧方向は第１ギヤプレート３の中心と透孔１３の中心を結ぶ直線をデッドポイントとして切り換わる。
【００１８】
第２ギヤプレート４には図６（Ｉ）に示すシリンダ錠３３ａの取付脚４２が挿入される２つの弧状長孔１５が１８０°の間隔をおいて形成されている。また、第２ギヤプレート４のボス部６には円形のスピンドル挿入孔１６が設けられ、そのスピンドル挿入孔１６の内周対向位置に一対の突出部１７が形成されている。
【００１９】
第２ギヤプレート４は、外径方向に延びるレバー１８を外周に有し、そのレバー１８の先端部は、錠箱１の前側部に設けられた摺動体１９の長孔２０に挿入されている。
【００２０】
摺動体１９は上下方向に長いスリット状のガイド孔２１を両側に有し、前記錠箱１における側板１ａの前側縁には上記ガイド孔２１に挿入される突片２２が設けられている。このため、摺動体１９は突片２２に沿って上下方向に移動自在とされ、その摺動体１９の上下端部にロッド２３の下端部を連結するロッド連結孔２４ａ、２４ｂが設けられている。
【００２１】
実施の形態で示す引戸錠は上記の構造から成り、図６（Ｉ）に示すシリンダ錠３３ａを用いて引戸の施錠装置を形成するには、引戸３０に設けられた収納凹部３１に錠箱１を挿入する。このとき、第１ギヤプレート３が上側に位置するよう錠箱１を収納凹部３１に挿入し、取付片２をねじの締付けにより固定する。
【００２２】
また、引戸３０には、第２ギヤプレート４と同軸上にシリンダ錠３３ａの取付孔２５とサムターン３４の取付孔２６とを予め形成しておき、錠取付け用の取付孔２５にシリンダ錠３３ａを挿入し、そのシリンダ錠３３ａに形成された上下の取付脚４２を第２ギヤプレート４に設けられた弧状長孔１５に挿入して固定すると共に、シリンダ錠３３ａの内筒３５に接続された板状のスピンドル３６をスピンドル挿入孔１６に挿入する。
【００２３】
また、サムターン取付け用の取付孔２６にサムターン３４を取付け、そのサムターン３４に設けられたスピンドル３４ａを第２ギヤプレート４のスピンドル挿入孔１６に挿入する。ここで、スピンドル３４ａの断面形状は、スピンドル挿入孔１６と同形状をなしている。
【００２４】
シリンダ錠３３ａおよびサムターン３４の取付け後、摺動体１９の上部のロッド連結孔２４ａにロッド２３の下端部をねじの締付けにより固定する。
【００２５】
施錠装置の組立て後、シリンダ錠３３ａのキー孔にキーを挿入して、シリンダ錠３３ａの内筒３５を１８０°回転すると、内筒３５と共に回転するスピンドル３６は、略９０°回転したときスピンドル挿入孔１６の内周に形成された突出部１７と係合する。シリンダ錠３３ａの内筒３５がさらに回転すると、第２ギヤプレート４が図１の矢印方向に回転し、その第２ギヤプレート４に設けられたレバー１８の先端部が長孔２０の上端に当接し、その当接によって摺動体１９が上方に移動し、摺動体１９に連結されたロッド２３の上端部が図５に示す上枠４０のロッド孔４１に係合し、引戸は施錠される。
【００２６】
なお、サムターン３４を回転すると、その回転により第２ギヤプレート４が回転して、前記と同様に摺動体１９が上昇し、ロッド２３の上端部がロッド孔４１に係合する。
【００２７】
ここで、シリンダ錠３３ａの操作およびサムターン３４の操作によって第２ギヤプレート４を回転させると、その第２ギヤプレート４と噛合する第１ギヤプレート３が第２ギヤプレート４に対して逆方向に回転する。第１ギヤプレート３の回転時、スプリング１４が収縮し、そのスプリング１４が第２ギヤプレート４の中心と透孔１３の中心を直線を越えると、スプリング１４の弾力により第１ギヤプレート３が第１図の反時計方向に回転されるため、シリンダ錠３３ａの内筒３５を回転させる操作力あるいはサムターン３４を回転させる操作力が減少し、その感触によってロッド２３がロッド孔４１に係合したことを知ることができる。
【００２８】
シリンダ錠３３ａのキーの紛失や故障等により、シリンダ錠３３ａを図６（II）に示すシリンダ錠３３ｂと取り替える場合は、シリンダ錠３３ａおよびサムターン３４を取外し、また、摺動体１９とロッド２３の連結を解除したのち、収納凹部３１から錠箱１を取外す。その錠箱１の上下を反転し、第１ギヤプレート３を下側に配置状態で錠箱１を収納凹部３１に挿入して固定する。
【００２９】
次に、摺動体１９を下降させた状態において上部のロッド連結孔２４ｂを利用してロッド２３を連結し、引戸３０に残るシリンダ錠３３ａの取付孔２５に図６（II）に示すシリンダ錠３３ｂを挿入して、一対の取付脚４３を第１ギヤプレート３の弧状長孔１０に挿入し、サムターンの取付孔２６にサムターン３４を取付け、そのサムターン３４をシリンダ錠３３ｂのスピンドル３６に連結する。
【００３０】
なお、引戸３０に対して、図６（II）に示すシリンダ錠３３ｂを新しく取付ける場合は、前記のように、第１ギヤプレート３が下側に配置されるよう収納凹部３１に錠箱１を挿入して取付け、引戸３０にはその第１ギヤプレート３と同軸上にシリンダ錠３３ｂの取付孔２５とサムターン３４の取付孔２６とを形成し、各取付孔２５、２６にシリンダ錠３３ｂおよびサムターン３４を取付ける。
【００３１】
【発明の効果】
以上のように、この発明においては、錠箱の上下逆の取付けによって形式の異なる２種類のシリンダ錠の使用を可能とすることができ、きわめて経済的であると共に、２種類のシリンダ錠を刻印されたメーカ名が正常に読み取ることができる正しい向きに取付けて使用することができる。
【図面の簡単な説明】
【図１】この発明に係る引戸錠の実施の形態を示す縦断正面図
【図２】図１のII−II線に沿った断面図
【図３】同上の錠箱の上下逆の取付け状態を示す縦断正面図
【図４】図３のIV−IV線に沿った断面図
【図５】（Ｉ）は従来の引戸の施錠装置を示す概略図、（II）は（Ｉ）のＶ−Ｖ線に沿った断面図
【図６】（Ｉ）、（II）は従来から知られているシリンダ錠の斜視図
【符号の説明】
１  錠箱
３  第１ギヤプレート
４  第２ギヤプレート
１０  長孔
１１  スピンドル挿入孔
１５  長孔
１６  スピンドル挿入孔
１７  突出部
１８  レバー
１９  摺動体
２０  長孔
２３  ロッド
２４ａ、２４ｂ  ロッド連結孔
【図１】
0003926443.tif 000002
【図２】
0003926443.tif 000003
【図３】
0003926443.tif 000004
【図４】
0003926443.tif 000005
【図５】
0003926443.tif 000006
【図６】
0003926443.tif 000007